(57)【要約】  【課題】放射能で汚染された土壌を掘削することなく、除染することが可能とする。  【解決手段】放射能汚染された生体または土などを除染するのに用いられる除染液であって、日日草およびペンタスを含む第一溶液を含むものである。【選択図】図２
2014145718.tif 000002
【特許請求の範囲】
【請求項１】
放射能汚染された生体または土などを除染するのに用いられる除染液であって、日日草およびペンタスを含む第一溶液を含む除染液。
【請求項２】
少なくともイチジク、瓜、胡瓜、麦門冬、地黄または桔梗のいずれか一つを含む第二溶液をさらに含むことを特徴とする請求項１記載の除染液。
【請求項３】
前記第二溶液は、前記少なくともイチジク、瓜、胡瓜、麦門冬、地黄、桔梗のいずれか一つの葉および枝を煎じて生成されることを特徴とする請求項２記載の除染液。
【請求項４】
前記第二溶液は、さらに、
カルシウムならびに／または柿の葉および枝を含むことを特徴とする請求項２または３記載の除染液。
【請求項５】
前記カルシウムは、石膏、琥珀、アワビの殻または鼈甲であることを特徴とする請求項４記載の除染液。
【請求項６】
前記第一溶液は、前記日日草の葉および枝ならびに前記ペンタスの葉および枝を煎じて生成されることを特徴とする請求項１〜５いずれか一項記載の除染液。
【請求項７】
放射能汚染された土に、日日草およびペンタスを含む第一溶液を直接的又は間接的に注入する工程を備える汚染土除染方法。
【請求項８】
少なくともイチジク、瓜、胡瓜、麦門冬、地黄、桔梗のいずれか一つを含む第二溶液を直接的又は間接的に注入する工程をさらに備えることを特徴とする請求項７記載の汚染土除染方法。
【請求項９】
前記第一溶液および前記第二溶液を直接的又は間接的に注入する工程をさらに備えることを特徴とする請求項７または８記載の汚染土除染方法。
【請求項１０】
貼薬治療に用いられる除染用貼薬であって、日日草およびペンタスを含む溶液を含有する除染用貼薬。
【発明の詳細な説明】
【技術分野】
【０００１】
本発明は、除染液、除染方法および除染用貼薬に関するものであって、特に、土壌を除染するための除染液および除染方法、ならびに、生体を除染するための貼薬に関するものである。
【背景技術】
【０００２】
近年、原発事故等により放射性物質が飛散した場合における放射能汚染が問題になっている。放射性物質にはセシウム等の半減期が長いものも含まれ、土壌汚染等を放置しておくと、例えば、農作物への被害や近隣住民の内部被ばく等、深刻な問題に発展する。
【０００３】
そのため、放射能により汚染された土壌（以下、「汚染土」という。）に対し、早急に除染作業を行う必要がある。
【０００４】
この除染作業として、従来、汚染土の表層部分を掘削する方法が多く用いられている。これは、飛散した放射性物質が、初めに土壌の表面に付着するので、土壌の表層部分を掘削することで汚染部分を除去できるためであるが、この掘削は、放射性物質が土壌の深部に侵食する前に行う必要がある。
【０００５】
掘削した汚染土を除染する方法としては、非特許文献１に記載されるように、特殊な洗浄装置を用いて汚染土を洗浄する方法や、掘削した汚染土を埋め立て施設に埋める方法がある。
【先行技術文献】
【特許文献】
【０００６】
【非特許文献１】須藤泰幸、“土壌汚染の措置方法および浄化技術の概要”、［online］、平成２３年、ＮＥＴＩＳプラス第３号、［平成２４年１２月４日検索］、インターネット（ＵＲＬ：http://www.netisplus.net/pdf/23aki/23aki_m4.pdf）
【発明の概要】
【発明が解決しようとする課題】
【０００７】
しかし、これらの方法だと、掘削した汚染土を運搬する際に、作業者が被ばくしてしまう危険性があり、また洗浄施設や埋め立て施設の受け入れ容量による制限があるという問題があった。
【０００８】
本発明の目的は、上記事情に鑑み、掘削や運搬を必要とせずに、汚染土を除染することが可能な除染液および除染方法、ならびに、生体を除染するための貼薬を提供することにある。
【課題を解決するための手段】
【０００９】
本発明に係る除染液は、放射能汚染された生体または土などを除染するのに用いられる除染液であって、日日草およびペンタスを含む第一溶液を含むものである。
【００１０】
また、上記除染液は、少なくともイチジク、瓜、胡瓜、麦門冬、地黄または桔梗のいずれか一つを含む第二溶液をさらに含むものであってもよい。
【００１１】
また、上記第二溶液は、少なくともイチジク、瓜、胡瓜、麦門冬、地黄、桔梗のいずれか一つの葉および枝を煎じて生成されるものであってもよい。
【００１２】
また、上記第二溶液は、さらに、カルシウムならびに／または柿の葉および枝を含むものであってもよい。
【００１３】
また、上記カルシウムは、石膏、琥珀、アワビの殻または鼈甲であってもよい。
【００１４】
また、上記第一溶液は、日日草の葉および枝ならびにペンタスの葉および枝を煎じて生成されるものであってもよい。
【００１５】
本発明に係る汚染土除染方法は、放射能汚染された土に、日日草およびペンタスを含む第一溶液を直接的または間接的に注入する工程を備える。
【００１６】
また、上記汚染土除染方法は、少なくともイチジク、瓜、胡瓜、麦門冬、地黄、桔梗のいずれか一つを含む第二溶液を直接的または間接的に注入する工程をさらに備えるものであってもよい。
【００１７】
また、上記汚染土除染方法は、上記第一溶液および上記第二溶液を直接的または間接的に注入する工程をさらに備えるものであってもよい。
【００１８】
また、本発明に係る除染用貼薬は、貼薬治療に用いられる除染用貼薬であって、日日草およびペンタスを含む溶液を含有する。
【発明の効果】
【００１９】
本発明に係る除染液は、放射能汚染された生体または土などを除染するのに用いられる除染液であって、日日草およびペンタスを含む第一溶液を含む除染液からなり、かかる除染液を用いることにより、放射能汚染を効果的に除染することができる。また、本発明に係る除染液を汚染土に用いる場合には、汚染土を移送することなくその場で除染することができるため、作業者が被ばくすることも避けることができる。
【００２０】
また、本発明に係る汚染土除染方法は、放射能汚染された土に、日日草およびペンタスを含む含む第一溶液を直接的または間接的に注入する工程からなり、かかる方法を用いることにより、放射能汚染を効果的に除染することができる。また、かかる方法によれば、除染土を、移送することなくその場で除染することができるため、作業者が被ばくすることも避けることができる。
【００２１】
また、本発明に係る除染用貼薬は、貼薬治療に用いられる貼薬であって、日日草およびペンタスを含む溶液からなり、かかる除染用貼薬を用いることにより、生体の放射能汚染を効果的に除染することができる。
【図面の簡単な説明】
【００２２】
【図１】汚染土の放射線量の時間変化（除染なし）を示すグラフ
【図２】汚染土の放射線量の時間変化（除染あり）を示すグラフ
【発明を実施するための形態】
【００２３】
次に、本発明の除染液の実施形態について説明する。
東洋医学における経絡現象学の分野において、細菌、ウイルス、花粉、黄砂などの生体に有害な物質は、外邪と呼ばれる。放射線も生体を侵襲して生体反応を生じさせるため、ここでは、放射性物質も外邪であるとして説明を行う。
【００２４】
放射線が生体を侵襲することで生じる生体反応には、風寒邪（ＦＫ）、風熱邪（ＦＶ）、風湿１邪（Ｖ１）、風湿２邪（Ｖ２）、風寒湿邪（ＲＶ）、風湿熱邪（ＣＶ）、燥邪I（ＦＩＳ I）、燥邪II（ＦＩＳ II）、燥邪III（ＦＩＳ III）がある。
【００２５】
風寒邪（ＦＫ）とは、寒性炎症をもたらす外邪であり、例えばインフルエンザなどの傷寒病が挙げられる。
【００２６】
風熱邪（ＦＶ）とは、熱性炎症をもたらす外邪であり、例えば花粉症、熱性の感染症（温病）、皮膚病などが挙げられる。
【００２７】
風湿１邪（Ｖ１）には、寒性炎症と熱性炎症をもたらすものがあり、表皮、上・下十二指腸、小腸、大腸、胆管系、糸球体や尿細管から尿道などの粘膜に常在菌として寄生するものが多い。風湿１邪（Ｖ１）は、変形性関節炎、腰痛症および心筋症等の寒性炎症や、ウイルス性肝炎、慢性肝炎、糖尿病および認知症（アルツハイマーなど）等の熱性炎症を指す。
【００２８】
また、風湿２邪（Ｖ２）は、口腔、鼻腔、歯肉、歯の周辺、食道〜胃体部〜十二指腸、咽頭・喉頭から気管支・肺胞などの粘膜に巣くっている熱性炎症性の常在菌をいう。風湿２邪（Ｖ２）は、例えば、精神的緊張で肝気が消耗し口腔内の自然免疫が低下した患者に対し、口角炎、口内炎、舌炎、口臭、ヘルペスなどを発症させる。
【００２９】
風寒湿邪（ＲＶ）としては、リュウマチ性疾患などが挙げられる。
【００３０】
風湿熱邪（ＣＶ）は、西洋医学でいう癌ウイルスと考えている。風湿熱邪（ＣＶ）が、先ず左癌中枢に入り込んで常在化し、続いて原発巣となるべき器官・組織に及ぶことによって、癌の経絡現象学的疾患構造が形成され、発癌する。
【００３１】
燥邪I（ＦＩＳ I）とは、皮膚粘膜の最表面を犯す外邪であり、例えばそれらの乾燥性炎症などが挙げられる。
【００３２】
燥邪II（ＦＩＳ II）とは、皮膚粘膜（燥邪Iより深い）を犯す外邪であり、例えばそれらの乾燥性炎症などが挙げられる。
【００３３】
燥邪III（ＦＩＳ III）とは、人体の内部を犯す外邪であり、例えば各臓器の乾燥性炎症などが挙げられる。
【００３４】
ここでは、上記１０種類の生体反応を引き起こす放射線を、それぞれＦＫ線、ＦＶ線、Ｖ１線、Ｖ２線、ＣＶ線、ＲＶ線、ＦＩＳ I線、ＦＩＳ II線、ＦＩＳ III線と呼ぶ。
【００３５】
本発明者は、上記放射線による汚染を除染することができる物質について鋭意検討を行った結果、日日草およびペンタスを含む第一溶液を含む除染液が、上記すべての放射線による放射能汚染に対して除染効果があることを見出した。また、かかる除染液を用いることで、汚染土を、移送することなくその場で除染することができるため、作業者が被ばくすることも避けることができる。
【００３６】
日日草とは、キョウチクトウ科ニチニチソウ属の一年草をいう。日日草は、ビンカアルカロイドと呼ばれる１０種類以上のアルカロイドを含み、このアルカロイドの一部には細胞分裂阻害作用があるため、抗がん剤として用いられる。
【００３７】
ペンタスとは、アカネ科の常緑低木をいう。
【００３８】
第二溶液は、日日草の葉および枝ならびにペンタスの葉および枝を煎じて生成されることが好ましい。除染に効果的な成分は、花や根などよりも、葉および枝に集中しているためである。
【００３９】
放射線の総線量のうちかなりの割合を占めるＦＩＳ I、IIおよびIII線は、除染が難しく、除染するのに時間がかかるため、本発明の除染液は、さらに、少なくともイチジク、瓜、麦門冬、地黄または桔梗のいずれか一つを含む第一溶液を含むのが好ましい。これにより、特にＦＩＳ I線、ＦＩＳ II線、ＦＩＳ III線をより効果的に除染することができる。
【００４０】
イチジクとは、クワ科の落葉高木をいう。在来種だけでなく外来種も含む。
【００４１】
瓜は瓜科の果菜類の総称をいう。具体的には、胡瓜、メロン、マクワウリ、シロウリ、ハミウリが含まれるが、ここでは胡瓜を除いたものを瓜と呼ぶ。
【００４２】
また、麦門冬は、漢方薬に用いる生薬の一種をいう。具体的には、ユリ科ジャノヒゲの塊茎を乾燥したものであることが望ましい。
【００４３】
地黄は、ゴマノハグサ科の多年草をいい、特にアカヤジオウの根のことをいう。地黄には、増血作用、血行障害やホルモン分泌障害改善、補血・強壮、虚弱体質改善等の効果がある。
【００４４】
桔梗は、キキョウ科の多年性草本植物をいう。特に桔梗の根はサポニンを多く含むことから、去痰、鎮咳、鎮静、解熱作用を有する生薬として利用される。
【００４５】
また、上記第一溶液は、イチジク、瓜、胡瓜、麦門冬、地黄、桔梗の少なくともいずれか一つの葉および枝を煎じて生成されることが望ましい。除染に効果的な成分は、花や根などよりも、葉および枝に集中しているためである。
【００４６】
更に、上記第一溶液は、カルシウムならびに／または柿の葉および枝を加えて生成するものとしてもよい。燥邪に対する除染力を強めるためである。この、カルシウムは、石膏、琥珀、アワビの殻または鼈甲であることが望ましい。これは、化学物質よりも自然産物の方が、人体や環境への影響が少ないと考えられるからである。
【００４７】
上述した除染液は、そのまま用いることもできるが、例えば除染液を紙等に吹き付けることで除染紙を作成したり、除染液をろ紙等に染み込ませて乾燥させ、それを小さく切るなどして除染貼薬を作成したりすることができる。
【００４８】
次に、本発明の除染方法の実施形態について説明する。
本発明の汚染土除染方法は、放射能汚染された土に、日日草およびペンタスを含む第二溶液を注入する工程を備える。
【００４９】
汚染土への各溶液の注入は、土壌内に管を差し注入する方法が望ましいが、シャワーを用いて散布したり、ブルーシート等に各溶液を塗布したものを土壌に覆い被せるようにして注入するものとしてもよい。前者を直接的除染法、後者を間接的除染法とする。
【００５０】
本発明の汚染土除染方法は、さらに、少なくともイチジク、瓜、麦門冬、地黄、桔梗のいずれか一つを含む第一溶液を注入する工程を備えるのが望ましい。
【００５１】
本発明の汚染土除染方法は、さらに、第二溶液および第一溶液を注入する工程を備えるのが望ましい。第二溶液および第一溶液は、時間を空けずに別々に注入してもよいが、同時にまたは混合して注入するのが好ましい。
【００５２】
次に、本発明の除染用貼薬の実施形態について説明する。
本発明に係る貼薬は、上述した第一溶液を含有する。かかる貼薬を生体に貼ることにより、被ばくした生体を効果的に除染することができるという効果が得られる。また、上述したような放射能汚染による被ばくの場合には、上記ＦＩＳ I〜III線が多く含まれるため、さらに第二溶液を含む除染用貼薬を用いるのが効果的である。
【実施例】
【００５３】
（実験例１）
水２Ｌに対して生の日日草（５種類以上、葉と枝）を１５０〜２００ｇ、生のペンタス（５種類以上、葉と枝）を１５０〜２００ｇ、および水晶石を１０ｇ入れ、とろ火で一時間煎じ、火を消した後一時間蒸した。その後、この溶液のろ過液を取って第一溶液とした。
【００５４】
同様に、水２Ｌに対して生のイチジク（葉と枝）を３００〜４００ｇ、石膏（カルシウム）を１０ｇ、生の柿（葉と枝）を１００ｇ、麦門冬を１０ｇ、地黄を１０ｇ、生の桔梗（葉と枝）を５０ｇ、琥珀を１０ｇ、あわびの殻を１０ｇ、鼈甲を１０ｇ、亀板を１０ｇ、牡蠣を１０ｇ、瓜の皮を２０ｇ、胡瓜の皮を１０ｇ入れ、とろ火で一時間煎じ、火を消した後一時間蒸した。その後、この溶液のろ過液を取って第二溶液とした。
【００５５】
放射量の測定には、市販のガイガーカウンターを用い、汚染土を入れた薄いガラス容器の底の部分で測定を行った。具体的には、ガイガーカウンターの表示面を下向きに置き、その裏面の上にガラス容器の底を置く方法で測定を行った。
【００５６】
実験では、汚染土４０〜５０グラムに上記の溶液（除染液）を２０〜３０ｍｌ注入し、放射線量の測定を行う。具体的には、薄いガラス容器に汚染土を入れ、容器の中の汚染土に除染液を振りかけ、除染液がよく汚染土と混じるようにする。その後、上述した方法により、放射量の測定を行い、除染状態を調べた。
【００５７】
本実験では、第一溶液のみを汚染土に注入する工程、第二溶液および第一溶液を注入する工程、ならびに、第二溶液のみを注入する工程の３つの工程を繰り返し（順不同）で実施した。また、各工程を行う前には汚染土の水洗を行った。
【００５８】
水洗とは汚染土の入ったガラス容器に水を入れ、攪拌し汚染土が沈殿するまで待ち、その上澄みを除くことをいう。上澄みの線量は、測定すると０．２０〜０．１８マイクロシーベルト／時であり空間線量と一致しているため、水洗は実験で線量測定に影響を与えない。
【００５９】
実験を行う前に、まず、実験を行う場所の空間線量を調べた。その結果、その空間線量は０．２０〜０．１８マイクロシーベルト／時であった。
【００６０】
今回実施した実験では、放射線量が十分低減するまで全部で１５４回、除染液の注入を表１のとおり行った。表１中、「○」は溶液を注入したことを示し、「―」は注入しなかったことを示す。
【００６１】
【表１】
2014145718.tif 000003
【００６２】
図１は上記の工程を行った際の汚染土の放射線量の推移をあらわすグラフである。除染液を注入した際に線量が増加することがあるが、これは一時的なものである。図１に示す結果より、第一溶液のみを注入した１〜２９回目において、放射線量は減少傾向にあることが分かる。また、第一溶液および第二溶液を注入した３０〜４３回目、４７〜５５回目および１０６〜１０９回目においても、放射線量は減少傾向にあることが分かる。また、全体の工程を通しても、放射線量は減少していることがわかり、本発明の汚染土除染方法は、放射能汚染を効果的に除染することができていることが分かる。
【００６３】
次に、対照実験として、除染しない汚染土の線量の変化を３か月に渡り、１週間間隔でコントロールとして調べた。図２はその測定結果を示すグラフである。
【００６４】
図２の結果より、変動幅は０．２マイクロシーベルトと小さく、線量測定値に影響を与えるものではないため、無視することが可能であることが分かる。
【００６５】
したがって、本発明の除染液を用いることで、汚染土の放射線量が空間線量と同等レベルまで低減し除染することができたことが分かる。
【００６６】
（実験例２）
・実施例１
水２Ｌに対して生の日日草（５種類以上、葉と枝）を１５０〜２００ｇ、生のペンタス（５種類以上、葉と枝）を１５０〜２００ｇ、および水晶石を１０ｇ入れ、とろ火で一時間煎じ、火を消した後一時間蒸した。その後、この溶液のろ過液を取って除染液とした。
【００６７】
・実施例２
水２Ｌに対して生のイチジク（３〜４種類、葉と枝）を３００〜４００ｇ、石膏（またはその他カルシウム）を１０ｇ、生の柿（葉と枝）を１００ｇ、麦門冬を１０ｇ、地黄を１０ｇ、桔梗を５０ｇ、琥珀を１０ｇ、あわびの殻を１０ｇ、鼈甲を１０ｇ、亀板を１０ｇ、牡蠣を１０ｇ、瓜の皮を２０ｇおよび胡瓜の皮を２０ｇ入れ、とろ火で一時間煎じ、火を消した後一時間蒸した。その後、この溶液のろ過液を取って除染液とした。
【００６８】
・比較例１
水２Ｌに対して生のしきみ（葉と枝）を２００ｇ、生のくろがねもち（葉と枝）を２００ｇ、生のカボック（葉と枝）を２００ｇ、生の木こく（葉と枝）を２００ｇ、セイロンウバ茶を１０ｇおよびケニア紅茶を１０ｇ入れ、とろ火で一時間煎じ、火を消した後一時間蒸した。その後、この溶液のろ過液を取って除染液とした。
【００６９】
・比較例２
水２Ｌに対して生のみかんの皮（少なくとも３種類以上）を３００ｇ、生のきのこを２００ｇ、ひまわりの乾燥させた種を２０ｇおよびカボチャの乾燥させた種を２０ｇ入れ、とろ火で一時間煎じ、火を消した後一時間蒸した。その後、この溶液のろ過液を取って除染液とした。
【００７０】
・比較例３
水２Ｌに対して生の紫陽花（少なくとも３種類以上、葉と茎）を４００ｇおよび生の菊花（少なくとも３種類以上）を４００ｇ入れ、とろ火で一時間煎じ、火を消した後一時間蒸した。その後、この溶液のろ過液を取って除染液とした。
【００７１】
上述した実施例１および実施例２ならびに比較例１〜３の溶液をそれぞれろ紙に染み込ませたものを乾燥させ、一辺が２ｍｍ〜３ｍｍの正方形に小さく切ったものを貼薬とした。これら貼薬について、経絡診断検査により効果を測定した。
【００７２】
経絡診断検査について説明する。
例えば、経穴の左右差を比較すると、圧痛優位穴は実になり、圧痛劣位穴は虚となる。この圧痛優位穴に磁石のＳ極を当てると、左右差の転換が起こるがＮ極では起こらない。一方で、圧痛劣位穴にＮ極を当てると左右差の転換が起こるがＳ極では起こらない。また、脈診についても、ある経穴にＳ極やＮ極を当てて、即座に脈状を診ると、一方の脈状は緊張して強い脈状（実）になり、他方は弱い脈状（虚）となるように、Ｓ極とＮ極で正反対の脈状があらわれる。
【００７３】
このように、磁石のＳ極あるいはＮ極を経絡・経穴に当てることで、脈状に変化が生じる現象を利用することで、様々な生体の情報をとらえることができる検査方法が経絡診断検査である。
【００７４】
この、経絡診断検査を用いて放射線に対する生体反応を調べた。具体的には、少量の汚染土を掌で軽く握り、一時的に体内に放射線が侵襲する状態を作った上で、生体の内外のどの部位に生体反応（免疫異常）が見られるか、について経絡現象学における検査（経絡診断検査）を行った。
【００７５】
まず、生体の部位を内（体内から真皮層まで）、外（表皮）、表（皮膚最表面）の３つに分けて、免疫異常反応を経絡診断検査で測定すると、各部位の値はシーベルト（Ｓ）に準じた放射線量になり、各々の値を合計した値が生体を侵襲した放射線量に相当する。
【００７６】
具体的な検査方法を説明すると、汚染土を掌で軽く握った状態の被験者の、腎経にある照海穴という免疫異常の経穴の左右のいずれかの経穴に磁石のＳ極をあてる。続いて生体部位の内には、その経穴である左れい溝穴（肝経に属し、この一穴で左右両側に反応する）にＮ極をあて、外にはその経穴である左右下れい溝穴（れい溝穴より４〜５センチ下の骨上）のいずれかにＳ極をあてる。また、表には左右フ陽穴のいずれかにＳ極をあてる。そしてそれぞれ断続刺激を１１回与える。
【００７７】
その後それぞれを後谿穴で断続刺激し、刺激毎に内関穴にＮ極とＳ極をあて、両者の脈状を比べる。そして、Ｎ極とＳ極の脈の逆転が起こった回数を各部位の免疫異常値とした。この免疫異常値の検査値の推移は、被験者が握っている汚染土をガイガーカウンターで測定した放射線量の測定結果と対応する。
【００７８】
このような経絡診断検査による免疫異常値の測定結果は以下の通りである。
まず、実施例１によって生成した貼薬を左れい溝穴（肝経）、左右下れい溝穴（れい溝穴より４〜５センチ下の骨上）および左右フ陽穴に貼った場合、当初１８（異常値の始まりの値）、１７または１６のいずれかであったＦＩＳ I、IIおよびIII線の放射線量が、貼薬を貼った後ただちに、無反応（正常値）になった。なお、この貼薬を繰り返す貼ることで、無反応状態が常態化された。
【００７９】
また、実施例２によって生成した貼薬を経穴である、左れい溝穴（肝経）、左右下れい溝穴（れい溝穴より４〜５センチ下の骨上）および左右フ陽穴に貼った場合、当初１８、１７または１６のいずれかであったＦＩＳ I、IIおよびIII線の放射線量が、貼薬を貼った後ただちに、無反応になった。これにより、ＦＩＳ I、IIおよびIII線の放射線による生体の被ばくには、貼薬を左れい溝穴（肝経）、左右下れい溝穴（れい溝穴より４〜５センチ下の骨上）、左右フ陽穴に貼ることで生体全体の除染が可能であることが分かる。
【００８０】
比較例１によって生成した貼薬を左れい溝穴（肝経）、左右下れい溝穴（れい溝穴より４〜５センチ下の骨上）および左右フ陽穴に貼った場合、当初１８、１７または１６のいずれかであった、ＣＶ線の放射線量が、貼薬を貼った後ただちに、無反応になった。
【００８１】
比較例２によって生成した貼薬を左れい溝穴（肝経）、左右下れい溝穴（れい溝穴より４〜５センチ下の骨上）および左右フ陽穴に貼った場合、当初１８、１７または１６のいずれかであったＦＫ線、Ｖ１（寒）線またはＲＶ線の放射線量が、貼薬を貼った後ただちに、無反応になった。
【００８２】
比較例３によって生成した貼薬を左れい溝穴（肝経）、左右下れい溝穴（れい溝穴より４〜５センチ下の骨上）および左右フ陽穴に貼った場合、当初１８、１７または１６のいずれかであったＦＶ線、Ｖ１（熱）線、Ｖ２線の放射線量が、貼薬を貼った後ただちに、無反応になった。
【００８３】
上記結果の通り、実施例１と実施例２を合わせて実施することで、個別的な比較例１〜３よりも幅広く、放射能汚染を効果的に除染できることが分かる。
【図１】
2014145718.tif 000004
【図２】
2014145718.tif 000005